(57)【特許請求の範囲】
【請求項１】
受け皿の球受け室内に貯留されたパチンコ球群のうちから抜き取られる総抜き球数を遊技者の入力操作によって設定する抜き球数設定手段と、球受け室外へのパチンコ球の取り出しが可能な状態および球受け室外へのパチンコ球の取り出しが不能な状態に切換えられる取り出し機構とを設け、
前記取り出し機構は、前記球受け室の貯留部に開口された球出口に対向して設置され且つ当該球出口から１個のパチンコ球を受け止めおよび放出が可能な受け止め部が１つ形成された受け渡し部材と、該受け渡し部材を回転せしめる球抜きモータと、前記受け渡し部材の回転を検出することにより前記球受け室内から抜き取られた各パチンコ球を検出して実抜き球数としてカウントする抜き球検出器と、前記受け渡し部材の受け止め部から放出されたパチンコ球を前記受け皿の前面側からパチンコ機外に放出するための球抜き通路が形成された誘導樋と、遊技者の操作によって前記球抜きモータを起動する球抜きスイッチと、からなり、
前記球抜きスイッチを操作して前記球抜きモータを起動したときに、前記受け渡し部材の一回転毎に、前記１つの受け止め部が前記球出口に対向する位置に旋回して前記球受け室の貯留部内のパチンコ球を前記受け止め部に受け止め、当該受け止め部に受け止めたままで旋回してパチンコ球を前記球抜き通路に放出し、前記抜き球検出器からの実抜き球数が前記抜き球数設定手段で設定した総抜き球数と一致したときに前記球抜きモータの駆動を停止することを特徴とするパチンコ機における球抜き装置。
【請求項２】
前記抜き球数設定手段によって設定された総抜き球数を表示し、パチンコ球が球受け室内から取り出される毎に総抜き球数から実抜き球数を減算した残り抜き球数を表示する表示部材を設けたことを特徴とする請求項１記載のパチンコ機における球抜き装置。
【発明の詳細な説明】
【０００１】
【発明の属する技術分野】
この発明はパチンコ機において、パチンコ球群が貯留される受け皿内からパチンコ球を抜き取る球抜き装置に関する。
【０００２】
【従来の技術】
パチンコ機の受け皿内からパチンコ球を抜き取る従来の球抜き機構では、ゲーム終了時などに球抜き操作によって受け皿内の持ち球をすべて抜き取るように構成されていた。
【０００３】
【発明が解決しようとする課題】
従来のパチンコ機では、受け皿内の持ち球のうちから遊技者が所望する個数のパチンコ球を抜き取ることができないので、ゲーム中例えば持ち球を飲料やタバコ等の景品と交換したい場合に受け皿内の持ち球のうちからその景品の金額に相当するパチンコ球を１個づつ数えて取り出す必要があった。本発明は受け皿内の持ち球のうちから遊技者が指定する個数のパチンコ球の抜き取りを可能にすることを課題とするものである。
【０００４】
【課題を解決するための手段】
請求項１の発明は、受け皿の球受け室内に貯留されたパチンコ球群のうちから抜き取られる総抜き球数を遊技者の入力操作によって設定する抜き球数設定手段と、球受け室外へのパチンコ球の取り出しが可能な状態および球受け室外へのパチンコ球の取り出しが不能な状態に切換えられる取り出し機構とを設け、前記取り出し機構は、前記球受け室の貯留部に開口された球出口に対向して設置され且つ当該球出口から１個のパチンコ球を受け止めおよび放出が可能な受け止め部が１つ形成された受け渡し部材と、該受け渡し部材を回転せしめる球抜きモータと、前記受け渡し部材の回転を検出することにより前記球受け室内から抜き取られた各パチンコ球を検出して実抜き球数としてカウントする抜き球検出器と、前記受け渡し部材の受け止め部から放出されたパチンコ球を前記受け皿の前面側からパチンコ機外に放出するための球抜き通路が形成された誘導樋と、遊技者の操作によって前記球抜きモータを起動する球抜きスイッチと、からなり、前記球抜きスイッチを操作して前記球抜きモータを起動したときに、前記受け渡し部材の一回転毎に、前記１つの受け止め部が前記球出口に対向する位置に旋回して前記球受け室の貯留部内のパチンコ球を前記受け止め部に受け止め、当該受け止め部に受け止めたままで旋回してパチンコ球を前記球抜き通路に放出し、前記抜き球検出器からの実抜き球数が前記抜き球数設定手段で設定した総抜き球数と一致したときに前記球抜きモータの駆動を停止することを特徴とする。
【０００５】
請求項１の発明では、抜き球数設定手段が遊技者によって入力操作されて球受け室内のパチンコ球群のうちから抜き取られる総抜き球数が設定され、取り出し機構が球受け室外へのパチンコ球の取り出しが不能な状態からパチンコ球の取り出しが可能な状態に切り換えられると、球受け室内のパチンコ球が球受け室外へ抜き取られ、抜き取られた各パチンコ球が抜き球検出器によって検出されて実抜き球数がカウントされ、総抜き球数分のパチンコ球が抜き取られると、球抜きが終了する。
【０００６】
請求項２の発明は請求項１の発明において、前記抜き球数設定手段によって設定された総抜き球数を表示し、パチンコ球が球受け室内から取り出される毎に総抜き球数から実抜き球数を減算した残り抜き球数を表示する表示部材を設けたことを特徴とする。
【０００７】
請求項２の発明では、遊技者が抜き球数設定手段によって設定した総抜き球数が表示部材によって表示されるとともに、パチンコ球が球受け室内から抜き取られる毎に抜き球数から実抜き球数を減算した残り抜き球数が表示部材によって切換え表示されて遊技者に報知される。
【０００８】
【発明の実施の形態】
請求項１の発明において、取り出し機構には手動操作によって球受け室の球出口を開閉する球抜き部材を設け、抜き球数設定手段によって設定された総抜き球数分のパチンコ球を球抜き部材の手動操作によって抜き取るように構成する。
【０００９】
また、球受け室内のパチンコ球の数量がパチンコ球の抜き取りによって影響を受けない程度に多いか否かを検出する数量検出器と、この数量検出器の検出信号によってＯＮ，ＯＦＦされて球抜きの可否を遊技者に報知する抜き取り可ランプとを設ける。
【００１０】
さらに、取り出し機構には、前記球抜き部材と、残り抜き球数が０となったときに作動して球受け室の球通路を自動的に開閉するストッパとを設ける。
【００１１】
また、取り出し機構には、遊技者が球抜きスイッチを操作したときに駆動されて球受け室内のパチンコ球の取り出しが可能な状態に切換えられ、抜き球検出器が総抜き球数分のパチンコ球をカウントして球抜きが終了したときに静止して球受け室内のパチンコ球の取り出しが不能な状態に切換えられる取り出し部材を設ける。
【００１２】
抜き球数設定手段として、球受け室内から抜き取ることができるパチンコ球の個数、若しくは抜き球と交換することができる景品名を表記した適数個の抜き球数設定ボタンを設ける。
【００１３】
【実施例】
次に、本発明の第１実施例を図１〜図３にしたがって説明する。パチンコ機の金枠１の下部に回動可能に結合された前板２には持ち球となるパチンコ球群が貯留される上受け皿３が取付けられ、この上受け皿３の下方には上受け皿３内から送り出されて下皿口４を通り抜けたパチンコ球を受け入れる下受け皿５が設置されている。
【００１４】
下受け皿５には球受け室が形成されるとともに、下受け皿５にはこの下受け皿５内のパチンコ球群をパチンコ機外へ取り出すときに操作される球抜きレバー６が付設されている。
【００１５】
上受け皿３には右下り状に若干傾斜した底面を有し、上皿口８を通って送り込まれたパチンコ球群が収容される球受け室１０が形成され、この球受け室１０の左部にはパチンコ球群が不規則に広がって収容される貯留部１０ａが形成され、球受け室１０の右部にはパチンコ球が横１列となって左方から右方へ通過する球通路１０ｂｂが形成され、球受け室１０の右端には球通路１０ｂの先端から転り落ちたパチンコ球が順に通り抜ける球出口１１が開設されている。
【００１６】
球出口１１と下皿口４との間には球抜き通路１２ａが内部に形成された誘導樋１２が設置され、球出口１１を通り抜けた各パチンコ球は球抜き通路１２ａおよび下皿口４を通って下受け皿５内に導入される。
【００１７】
上受け皿３には、球受け室１０の貯留部１０ａに対向して設置され、球受け室１０内のパチンコ球の数量がパチンコ球の抜き取りによって影響を受けない程度に多いか否かを判別して検出信号を出力する球量検出器１４が取付けられている。
【００１８】
球受け室１０の球出口１１の内方にはパチンコ球が球出口１１を通り抜ける毎に検出信号を出力して球出口１１を通り抜けた実抜き球数をカウントする抜き球検出器１５が球出口１１に対向して設置されている。
【００１９】
上受け皿３の右端付近には、球受け室１０内のパチンコ球群のうちから、遊技者が所望する個数のパチンコ球を抜き取るときに遊技者によって手動操作される球抜き部材１８を有し、球受け室１０外へのパチンコ球の取り出しが可能な状態と球受け室１０外へのパチンコ球の取り出しが不能な状態とに切換えられる取り出し機構１７が設置されている。
【００２０】
球抜き部材１８には上受け皿３の左端部の上面付近に配設されて遊技者によって内外方向へ押動操作されるつまみ１８ａと、球出口１１の外方に形成されたガイド溝１９内に内外方向へのスライド可能に嵌合されて球出口１１を開閉するシャッタ１８ｂと、つまみ１８ａおよびシャッタ１８ｂを連結する連結片１８ｃとが形成されている。
【００２１】
球抜き部材１８は図示しないスプリングによって常には内方へ付勢され、つまみ１８ａが解放された状態ではシャッタ１８ｂが球出口１１を閉塞して球抜き動作が禁止された状態で保持される。
【００２２】
つまみ１８ａを外方へ押動操作して球抜き部材１８を外方へ移動させると、球抜き部材１８は球出口１１を開放して球受け室１０の球通路１０ｂｂに並んだパチンコ球の取り出しが可能な状態に切換えられ、この状態を継続する間は球通路１０ｂｂに並んだパチンコ球が１個づつ球出口１１を通り抜けて球抜き通路１２ａに導入され、球抜き通路１２ａおよび下皿口４を通り抜けて下受け皿５内に送り込まれる。
【００２３】
遊技者が球抜き部材１８のつまみ１８ａの押動操作を中止してつまみ１８ａを解放すると、球抜き部材１８はスプリングの弾発力によって内方の移動端へ復帰移動して球出口１１を閉鎖し、球抜きが禁止された状態に切換えられる。
【００２４】
前板２の上端縁付近には球量検出器１４の検出信号に基づいてＯＮ，ＯＦＦされ、球抜き操作の可否を遊技者に報知する球抜き可ランプ２１が設置されている。
【００２５】
球抜き可ランプ２１は、球受け室１０内のパチンコ球群が球量検出器１４の上流および下流にわたって貯留されて球受け室１０内のパチンコ球の数量が充分に多い場合に点灯して球抜きが可能である旨の情報を遊技者に報知する。
【００２６】
球受け室１０内のパチンコ球の数量が減少して球量検出器１４の前方にパチンコ球が無くなり、パチンコ球群が球量検出器１４の下流側の部位にのみ貯留された状態になると、球量検出器１４が検出信号を出力して球抜き可ランプ２１が消灯する。
【００２７】
前板２の上端縁付近には球受け室１０内のパチンコ球群のうちから抜き取られる総抜き球数を遊技者の入力操作によって設定する加算用の抜き球数設定ボタン（抜き球数設定手段）２２Ａおよび減算用の抜き球数設定ボタン（抜き球数設定手段）２２Ｂが設置されている。
【００２８】
加算用の抜き球数設定ボタン２２Ａを遊技者が１回押す毎に抜き球数が１球づつ加算され、減算用の抜き球数設定ボタン２２Ａを遊技者が１回押す毎に抜き球数が１球づつ減算される。
【００２９】
前板２の上端縁付近には両抜き球数設定ボタン２２Ａ，２２Ｂ若しくは加算用の抜き球数設定ボタン２２Ａによって設定された総抜き球数を表示し、また、この総抜き球数から実際に抜き取られた実抜き球数を減算した残り抜き球数を、パチンコ球の球受け室１０内から抜き取られる毎に抜き球検出器１５の検出信号に基づいて遂次切換え表示する表示部材（表示ランプ）２３が設置されている。
【００３０】
例えば、遊技者が指定した総抜き球数を１０個とすると、遊技者が加算用の抜き球数設定ボタン２２Ａを１０回押すことによって表示部材２３が総抜き球数の１０を表示する。
【００３１】
この状態で、球抜き部材１８を外方へ移動操作して球出口１１を開放すると、球受け室１０の球通路１０ｂｂに並んだパチンコ球がその先頭のパチンコ球から順に球出口１１を通り抜けて球受け室１０外に取り出される。
【００３２】
パチンコ球が球受け室１０外へ取り出されると、球出口１１を通り抜ける各パチンコ球が抜き球検出器１５によって逐次検出されて実抜き球数がカウントされ、表示部材２３が総抜き球数１０から実抜き球数を減算した残り抜き球数９，８，７…０を逐次表示する。
【００３３】
残り抜き球数が０となった時点で球抜き部材１８を解放して内方へ復帰移動させると、球出口１１が閉塞されて球受け室１０内のパチンコ球の抜き取りが終了する。
【００３４】
上記実施例によれば、遊技者が所望する個数のパチンコ球を球受け室１０内から随意に抜き取ることができ、少い個数のパチンコ球を景品と交換したいときなどに球受け室１０内のパチンコ球を１個づつ数えて取り出す必要が無くなり、遊技者が指定する個数のパチンコ球の抜き取り操作を簡便化することができる。
【００３５】
また、遊技者が指定した総抜き球数を表示部材２３によって確認することができるので、総抜き球数の指定時の入力ミスを無くすことができるとともに、指定した総抜き球数分のパチンコ球が実際に抜き取られたか否かを確認することができる。
【００３６】
さらに、球抜き部材１８が、球受け室１０内のパチンコ球群を全て抜き取る通常の球抜き機能と、球受け室１０内のパチンコ球群のうちから所望数のパチンコ球を抜き取る特異な球抜き機能とを兼有し、既設の部材を活用することができるので、球抜き機構を簡略化してそのコストを節減することができる。
【００３７】
次に、図４に示す本発明の第２実施例について説明すると、本例では、取り出し機構１７には、上受け皿３の球受け室１０の球通路１０ｂの先端付近の近傍に配設され、球抜き動作が終了して表示部材２３が表示する残り抜き球数が０となったときに抜き球検出器１５の検出信号によって作動して球受け室１０の球通路１０ｂｂに並んだパチンコ球の通行を積極的で自動的に阻止するストッパ（ソレノイド）２４が設けられている外は第１実施例と同様に構成されている。
【００３８】
ストッパ２４は、このストッパ２４が励磁されたときに球通路１０ｂｂ内へ進出して球通路１０ｂｂを閉路し、ストッパ２４が消磁されたときに球通路１０ｂｂの後方へ退避して球通路１０ｂｂを開路する球止め片２４ａを備えている。
【００３９】
抜き球数設定ボタン２２Ａ，２２Ｂによって総抜き球数を入力してから、球抜き部材１８を外方へ移動操作して球出口１１を開放した状態を継続すると、球通路１０ｂｂに並んだ各パチンコ球が順に球出口１１を通り抜けて球受け室１０内から抜き取られ、球出口１１を通り抜けたパチンコ球の個数となる実抜き球数が抜き球検出器１５によってカウントされて残り抜き球数が表示部材２３によって逐次表示され、残り抜き球数が０となって総抜き球数に相当するパチンコ球が全て抜き取られた時点でストッパ２４が励磁されて球止め片２４ａが球通路１０ｂｂ内の先端付近へ進出し、球通路１０ｂｂに並んだパチンコ球の抜き取りがストッパ２４によって自動的に阻止される。
【００４０】
第２実施例によれば、球受け室内から所望数のパチンコ球を抜き取る球抜き動作を自動的に終了させて球抜き終了時の誤動作を無くすことができ、指定した個数のパチンコ球を過不足なく抜き取ることができる。
【００４１】
次に、図５、図６に示す本発明の第３実施例について説明すると、本例では、上受け皿３には、球抜きを開始するときに遊技者によって操作される球抜きスイッチ３０が取付けられている。
【００４２】
上受け皿３内の中央部付近には、球受け室１０の貯留部１０ａ内のパチンコ球群のうちから所望数のパチンコ球をパチンコ機外へ自動的に抜き取る目的で作動制御される取り出し機構２５が球受け室１０の貯留部１０ａに開口された第２球出口２７に対向して設置されている。
【００４３】
取り出し機構２５は球抜きボタン３０が遊技者によって操作されてＯＮとなったときに駆動される球抜きモータ２８を備えている。
【００４４】
球抜きモータ２８のモータ軸に結合された出力軸２９には、１個のパチンコ球の受け止めおよび放出が可能な受け止め部２６ａを有し、回転および静止して球受け室１０外へのパチンコ球の取出しが可能な状態と、球受け室１０外へのパチンコ球の取り出しが不能な状態とに切換えられ、一回転する毎に第２球出口２７を開閉して球受け室１０の貯留部１０ａ内からパチンコ球を１個づつ間欠的に取り出す受け渡し部材２６が結合されている。
【００４５】
出力軸２９の近傍にはこの出力軸２９に突設した被検知部２９ａと受け渡し部材２６の受け止め部２６ａとの回転位置、および、受け渡し部材２６の回転数を検出して実抜き球数をカウントする抜き球検出器３２が設置されている。
【００４６】
取り出し機構２５の近傍には受け渡し部材２６の回転によって球受け室１０の貯留部１０ａ内から取出されたパチンコ球をパチンコ機外へ誘導する球抜き通路３１ａが内部に形成された誘導樋３１が設置されている。
【００４７】
球受け室１０内から総抜き球数分のパチンコ球を取り出すに際し、球抜きスイッチ３０を操作して球抜きモータ２８を起動すると、受け渡し部材２６が回転して受け止め部２６ａが第２球出口２７に対向する位置に旋回する毎に、球受け室１０貯留部１０ａ内のパチンコ球が第２球出口２７を通って受け止め部２６ａ内に転り落ち、受け止め部２６ａとともに旋回移動してから誘導樋３１内に導入され、球抜き通路３１ａを通ってパチンコ機外に抜き取られる。
【００４８】
総抜き球数分のパチンコ球が抜き球検出器３２によってカウントされると、球抜きモータ２８が抜き球検出器３２の出力信号によって回転を停止して受け渡し部材２６が第２球出口２７を閉塞した状態で静止し、受け渡し部材２６の回転数に相当する個数のパチンコ球が球受け室１０内から自動的に抜き取られる。
【００４９】
第３実施例によれば、総抜き球数を指定して球抜きスイッチ３０を押すだけで、所望数のパチンコ球を自動的に抜き取ることができ、球抜き動作を簡便化することができる。
【００５０】
また受け渡し部材２６が球受け室１０内のパチンコ球を１個取り出す毎に受け渡し部材２６が第２球出口２７を閉塞して抜き取られたパチンコ球に後続するパチンコ球を的確に球切りすることができるので、第２球出口２７での球詰りを無くすことができる。
【００５１】
次に、図７に示す本発明の第４実施例について説明すると、本例では球受け室１０の近傍には球受け室１０内から抜き取ることができる抜き球数がそれぞれ表記された状態で配列されて遊技者によって入力操作される適数個（本例では３個）の抜き球数設定ボタン３５Ａ，３５Ｂ，３５Ｃが設置されている外は第３実施例と同様に構成されている。
【００５２】
本例では左端の抜き球数設定ボタン３５Ａには「１０個」と表記され、中央の抜き球数設定ボタンＢには「５個」と表記され、右端の抜き球数設定ボタン３５Ｃには「１個」と表記されている。
【００５３】
例えば、左端の抜き球数設定ボタン３５Ａを１回押して抜き球数が１０個となる信号を入力してから球抜きスイッチ３０を押すと、球受け室１０内から１０個のパチンコ球を自動的に抜き取ることができ、また、中央の抜き球数設定ボタン３５Ｂおよび右端の抜き球数設定ボタン３５Ｃをそれぞれ１回押してから球抜きスイッチ３０を押すと、球受け室１０内から６個のパチンコ球を自動的に抜き取ることができる。
【００５４】
次に、図８に示す本発明の第５実施例について説明すると、本例では遊技者によって入力操作される３つの抜き球数設定ボタン３６Ａ，３６Ｂ，３６Ｃには抜き球数に代えてパチンコ球との交換が可能な飲料やタバコなどの景品名（商品名）が表記されている外は第５実施例と同様に構成されている。
【００５５】
例えば、抜き球数設定ボタン３６Ａ，３６Ｂ，３６Ｃには「ジュース」、「タバコＡ」、「タバコＢ」等の景品名が表記され、抜き球数設定ボタン３６Ａ，３６Ｂ，３６Ｃの何かを押して景品名を入力してから球抜きスイッチ３０を押すと、その景品名の商品の金額に相当する個数のパチンコ球を球受け室１０内から自動的に抜き取ることができる。
【００５６】
第４実施例、第５実施例によれば、抜き球数を１個づつ加算したり減算する操作が不要となり、抜き球数を入力する操作を簡易化および能率化して入力ミスを無くすことができる。
【００５７】
【発明の効果】
請求項１の発明によれば、遊技者が所望する個数のパチンコ球を球受け室内から随意に抜き取ることができ、少い個数のパチンコ球を景品と交換したいときなどに球受け室内のパチンコ球を１個づつ数えて取り出す必要が無くなり、遊技者が指定する個数のパチンコ球の抜き取り操作を簡便化することができる。
【００５８】
請求項２の発明によれば、遊技者が指定した総抜き球数を表示部材によって確認することができるので、総抜き球数の指定時の入力ミスを無くすことができるとともに、指定した総抜き球数分のパチンコ球が実際に抜き取られたか否かを確認することができる。
【図面の簡単な説明】
【図１】本発明の第１実施例を示すパチンコ機の正面図である。
【図２】上受け皿の平面図である。
【図３】取り出し機構付近の正面図である。
【図４】本発明の第２実施例を示す取り出し機構付近の平面図である。
【図５】本発明の第３実施例を示す取り出し機構付近の平面図である。
【図６】同じく、正面図である。
【図７】本発明の第４実施例を示す要部の平面図である。
【図８】本発明の第５実施例を示す要部の平面図である。
【符号の説明】
３  上受け皿
１０  球受け室
１５，３２  抜き球検出器
１７，２５  取り出し機構
１８，２６  球抜き部材
２２Ａ，２２Ｂ，３５Ａ，３５Ｂ，３５Ｃ，３６Ａ，３６Ｂ，３６Ｃ抜き球数設定ボタン（抜き球数設定手段）
２３  表示部材
３０  球抜きスイッチ
【図１】
0004161140.tif 000002
【図２】
0004161140.tif 000003
【図３】
0004161140.tif 000004
【図４】
0004161140.tif 000005
【図５】
0004161140.tif 000006
【図６】
0004161140.tif 000007
【図７】
0004161140.tif 000008
【図８】
0004161140.tif 000009